(57)【特許請求の範囲】
【請求項１】
応答を引き出すフレームを受信するように構成された受信機と、
前記応答の送信のための変調クラスと変調およびコーディング方式（ＭＣＳ）とを選択するように構成された回路であって、前記回路は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するように構成された、回路と、
前記選択された変調クラスと前記選択されたＭＣＳとを使用して前記応答を送信するように構成された送信機とを備える、ワイヤレス通信のための装置。
【請求項２】
前記ルールは、前記フレームがＶＨＴ変調クラスを使用して送信された場合のみ、前記応答がＶＨＴ変調クラスを使用して送信されることを可能にする、請求項１に記載の装置。
【請求項３】
前記ルールは、前記フレームがＶＨＴ変調クラスを使用して送信された場合、前記応答がＨＴ変調クラスまたは非ＨＴ変調クラスを使用して送信されることを可能にする、請求項１に記載の装置。
【請求項４】
前記回路は、
前記フレームがＶＨＴ送信として送信された場合、前記受信されたフレームの空間ストリームの数と変調次数とを判断することであって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断することを行うように構成された、請求項１に記載の装置。
【請求項５】
前記回路は、
サポートされたＭＣＳのセットを識別することと、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新することと、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択することとを行うようにさらに構成され、
前記送信機が、前記１次ＭＣＳを使用して前記応答を送信するようにさらに構成された、請求項４に記載の装置。
【請求項６】
サポートされたＭＣＳの前記セットが、非ＨＴ局、ＨＴ局、またはＶＨＴ局によってサポートされた１つまたは複数のＭＣＳを備える、請求項５に記載の装置。
【請求項７】
前記ＭＣＳを選択するように構成された前記回路が、前記受信されたフレームのデータレートに等しいかまたはそれよりも低いデータレートに対応する前記ＭＣＳを選択するようにさらに構成された、請求項１に記載の装置。
【請求項８】
応答を引き出すフレームを受信することと、
前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、前記応答の送信のための前記変調クラスと前記ＭＣＳとを選択することと、
前記選択された変調クラスと前記選択されたＭＣＳとを使用して前記応答を送信することとを備える、ワイヤレス通信のための方法。
【請求項９】
前記ルールは、前記フレームがＶＨＴ変調クラスを使用して送信された場合のみ、前記応答がＶＨＴ変調クラスを使用して送信されることを可能にする、請求項８に記載の方法。
【請求項１０】
前記ルールは、前記フレームがＶＨＴ変調クラスを使用して送信された場合、前記応答がＨＴ変調クラスまたは非ＨＴ変調クラスを使用して送信されることを可能にする、請求項８に記載の方法。
【請求項１１】
前記フレームがＶＨＴ送信として送信された場合、前記受信されたフレームの空間ストリームの数と変調次数とを判断することであって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断することをさらに備える、請求項８に記載の方法。
【請求項１２】
サポートされたＭＣＳのセットを識別することと、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新することと、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択することと、
前記１次ＭＣＳを使用して前記応答を送信することとをさらに備える、請求項１１に記載の方法。
【請求項１３】
サポートされたＭＣＳの前記セットが、非ＨＴ局、ＨＴ局、またはＶＨＴ局によってサポートされた１つまたは複数のＭＣＳを備える、請求項１２に記載の方法。
【請求項１４】
前記ＭＣＳを選択することが、
前記受信されたフレームのデータレートに等しいかまたはそれよりも低いデータレートに対応する前記ＭＣＳを選択することを備える、請求項８に記載の方法。
【請求項１５】
応答を引き出すフレームを受信するための手段と、
前記応答の送信のための変調クラスと変調およびコーディング方式（ＭＣＳ）とを選択するための手段であって、選択するための前記手段は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するための手段を備える、選択するための手段と、
前記選択された変調クラスと前記選択されたＭＣＳとを使用して前記応答を送信するための手段とを備える、ワイヤレス通信のための装置。
【請求項１６】
前記ルールは、前記フレームがＶＨＴ変調クラスを使用して送信された場合のみ、前記応答がＶＨＴ変調クラスを使用して送信されることを可能にする、請求項１５に記載の装置。
【請求項１７】
前記ルールは、前記フレームがＶＨＴ変調クラスを使用して送信された場合、前記応答がＨＴ変調クラスまたは非ＨＴ変調クラスを使用して送信されることを可能にする、請求項１５に記載の装置。
【請求項１８】
前記フレームがＶＨＴ送信として送信された場合、前記受信されたフレームの空間ストリームの数と変調次数とを判断するための手段であって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断するための手段をさらに備える、請求項１５に記載の装置。
【請求項１９】
サポートされたＭＣＳのセットを識別するための手段と、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新するための手段と、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択するための手段とをさらに備え、前記送信するための手段が、前記１次ＭＣＳを使用して前記応答をさらに送信する、請求項１８に記載の装置。
【請求項２０】
サポートされたＭＣＳの前記セットが、非ＨＴ局、ＨＴ局、またはＶＨＴ局によってサポートされた１つまたは複数のＭＣＳを備える、請求項１９に記載の装置。
【請求項２１】
前記ＭＣＳを選択するための前記手段が、
前記受信されたフレームのデータレートに等しいかまたはそれよりも低いデータレートに対応する前記ＭＣＳを選択するための手段を備える、請求項１５に記載の装置。
【請求項２２】
応答を引き出すフレームを受信することと、
前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、前記応答の送信のための前記変調クラスと前記ＭＣＳとを選択することと、
前記選択された変調クラスと前記選択されたＭＣＳとを使用して前記応答を送信することと
の手順をコンピュータに実行させるためのプログラム。
【請求項２３】
少なくとも１つのアンテナと、
前記少なくとも１つのアンテナを介して、応答を引き出すフレームを受信するように構成された受信機と、
前記応答の送信のための変調クラスと変調およびコーディング方式（ＭＣＳ）とを選択するように構成された回路であって、前記回路は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するように構成された、回路と、
前記選択された変調クラスと前記選択されたＭＣＳとを使用して前記応答を送信するように構成された送信機とを備える、ワイヤレス通信のための局。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１１年１０月２５日に出願された「Rate Selection for Frames in Wireless Devices」と題する米国仮出願第６１／５５１，２９３号の優先権を主張する。
【０００２】
本開示のいくつかの態様は、一般にワイヤレス通信に関し、より詳細には、超高スループットデバイスにおけるフレームのための変調およびコーディング方式（ＭＣＳ：modulation and coding scheme）とレートとを選択することに関する。
【背景技術】
【０００３】
ワイヤレス通信システムに要求される帯域幅要件の増加の問題に対処するために、高いデータスループットを達成しながら、複数のユーザ端末がチャネルリソースを共有することによって単一のアクセスポイントと通信することを可能にするための様々な方式が開発されている。多入力多出力（ＭＩＭＯ）技術は、次世代通信システムのための普及している技法として最近現れた１つのそのような手法を表す。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００４】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS＝＜ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【０００５】
現在のＩＥＥＥ８０２．１１ａｃ仕様には、局が制御応答フレームのための送信レートならびに／または変調およびコーディング方式（ＭＣＳ）をどのように選択すべきかが記載されていない。したがって、応答を引き出す（elicit）フレーム（たとえば、制御フレームまたは他のタイプのフレーム）の受信に応答してＭＣＳとレートとを選択するための技法が必要とされる。選択されたＭＣＳは、受信されたフレームに対する応答を送信するために、ワイヤレスデバイスによって使用され得る。
【発明の概要】
【０００６】
本開示のいくつかの態様は、ワイヤレス通信のための装置を提供する。本装置は、概して、応答を引き出すフレームを受信するように構成された受信機と、応答の送信のための変調クラスと変調およびコーディング方式（ＭＣＳ）とを選択するように構成された回路であって、回路は、フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスとＭＣＳとを選択するための異なるルールを適用するように構成された、回路と、選択された変調クラスと選択されたＭＣＳとを使用して応答を送信するように構成された送信機とを含む。
【０００７】
本開示のいくつかの態様は、ワイヤレス通信のための方法を提供する。本方法は、概して、応答を引き出すフレームを受信することと、フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、応答の送信のための変調クラスとＭＣＳとを選択することと、選択された変調クラスと選択されたＭＣＳとを使用して応答を送信することとを含む。
【０００８】
本開示のいくつかの態様は、ワイヤレス通信のための装置を提供する。本装置は、概して、応答を引き出すフレームを受信するための手段と、応答の送信のための変調クラスと変調およびコーディング方式（ＭＣＳ）とを選択するための手段であって、選択するための手段は、フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスとＭＣＳとを選択するための異なるルールを適用するための手段を備える、選択するための手段と、選択された変調クラスと選択されたＭＣＳとを使用して応答を送信するための手段とを含む。
【０００９】
本開示のいくつかの態様は、ワイヤレス通信のためのコンピュータプログラム製品を提供する。本コンピュータプログラム製品は、典型的に、応答を引き出すフレームを受信することと、フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、応答の送信のための変調クラスとＭＣＳとを選択することと、選択された変調クラスと選択されたＭＣＳとを使用して応答を送信することとを行うために実行可能な命令を有する非一時的コンピュータ可読媒体を含む。
【００１０】
いくつかの態様は、ワイヤレス通信のための局を提供する。局は、概して、少なくとも１つのアンテナと、少なくとも１つのアンテナを介して、応答を引き出すフレームを受信するように構成された受信機と、応答の送信のための変調クラスと変調およびコーディング方式（ＭＣＳ）とを選択するように構成された回路であって、回路は、フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスとＭＣＳとを選択するための異なるルールを適用するように構成された、回路と、選択された変調クラスと選択されたＭＣＳとを使用して応答を送信するように構成された送信機とを含む。
【００１１】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１２】
【図１】本開示のいくつかの態様によるワイヤレス通信ネットワークの図。
【図２】本開示のいくつかの態様による例示的なアクセスポイントおよびユーザ端末のブロック図。
【図３】本開示のいくつかの態様による例示的なワイヤレスデバイスのブロック図。
【図４】本開示のいくつかの態様による、ワイヤレス通信のための例示的なフレーム構造を示す図。
【図５】本開示のいくつかの態様による、例示的なプリアンブル構造を示す図。
【図６】本開示のいくつかの態様による、フレームに対する応答のためのＭＣＳを選択するためにワイヤレスデバイスによって実行され得る例示的な動作を示す図。
【図６Ａ】図６に示す動作を実行するための例示的な手段を示す図。
【図７】本開示のいくつかの態様による、提案するパラメータ選択方法を利用する例示的な通信システムを示す図。
【発明を実施するための形態】
【００１３】
添付の図面を参照しながら本開示の様々な態様について以下でより十分に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１４】
「例示的」という単語は、本明細書では、「例、事例、または例示の働きをすること」を意味するために使用する。本明細書で「例示的」として説明するいかなる態様も、必ずしも他の態様よりも好適または有利であると解釈すべきではない。
【００１５】
本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１６】
例示的なワイヤレス通信システム
本明細書に記載の技法は、直交多重化方式に基づく通信システムを含む、様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割し、各タイムスロットを異なるユーザ端末に割り当てることによって、複数のユーザ端末が同じ周波数チャネルを共有することを可能にし得る。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００１７】
本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００１８】
アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００１９】
アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２０】
図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、概して、ユーザ端末と通信する固定局であり、基地局または何らかの他の用語で呼ばれることもある。ユーザ端末は、固定でも移動でもよく、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００２１】
以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２２】
システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数または時間で多重化されない場合、Ｎap≧Ｋ≧１であることが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、ユーザ固有のデータをアクセスポイントに送信し、および／またはアクセスポイントからユーザ固有のデータを受信する。概して、各選択されたユーザ端末は、１つまたは複数のアンテナを装備し得る（すなわち、Ｎut≧１）。Ｋ個の選択されたユーザ端末は、同じまたは異なる数のアンテナを有することができる。
【００２３】
ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストをサポートすることができる場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００２４】
図２に、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上の同時送信のために選択され、Ｎdn個のユーザ端末がダウンリンク上の同時送信のために選択され、ＮupはＮdnに等しくてもまたは等しくなくてもよく、ＮupおよびＮdnは、静的値であるかまたはスケジューリング間隔ごとに変わることができる。アクセスポイントおよびユーザ端末においてビームステアリングまたは何らかの他の空間処理技法が使用され得る。
【００２５】
アップリンク上では、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートに関連するコーディングおよび変調方式に基づいて、ユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００２６】
アップリンク上の同時送信のためにＮup個のユーザ端末がスケジュールされ得る。これらのユーザ端末の各々は、それのデータシンボルストリームに対して空間処理を実行し、アップリンク上で送信シンボルストリームのそれのセットをアクセスポイントに送信する。
【００２７】
アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００２８】
ダウンリンク上では、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個の送信機ユニット２２２は、Ｎap個のアンテナ２２４からユーザ端末への送信のためのＮap個のダウンリンク信号を与える。
【００２９】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥ、または何らかの他の技法に従って実行される。ＲＸデータプロセッサ２７０は、ユーザ端末のための復号データを取得するために、復元されたダウンリンクデータシンボルストリームを処理（たとえば、復調、デインターリーブ、および復号）する。
【００３０】
各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。コントローラ２３０および２８０は、それぞれメモリ２３２および２８２に結合され得る。
【００３１】
図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００３２】
ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００３３】
ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００３４】
ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３５】
ワイヤレスデバイス３０２の様々な構成要素は、データバスに加えて、電力バスと、制御信号バスと、ステータス信号バスとを含み得る、バスシステム３２２によって互いに結合され得る。
【００３６】
例示的なフレーム構造
ＩＥＥＥ８０２．１１ａｃは、ＩＥＥＥ８０２．１１ネットワークにおいてより高いスループットを可能にするＩＥＥＥ８０２．１１規格に対する追補である。より高いスループットは、ＭＵ−ＭＩＭＯ（マルチユーザ多入力多出力）および８０ＭＨｚまたは１６０ＭＨｚチャネル帯域幅の使用など、いくつかの方策を通して実現される。ＩＥＥＥ８０２．１１ａｃは超高スループット（ＶＨＴ）とも呼ばれる。
【００３７】
通信するために、ワイヤレスネットワーク（たとえば、図１に示すシステム１００）中のアクセスポイント（ＡＰ）１１０およびユーザ端末１２０は、いくつかのフレーム構造に従ってメッセージを交換し得る。図４に、本開示のいくつかの態様による、ワイヤレス通信のための例示的なフレーム構造４００を示す。送信要求（ＲＴＳ：Request to Send）フレームまたは送信可（ＣＴＳ：Clear to Send）フレームなどの短いフレームは、このフレーム構造を備え得る。フレーム構造４００は、プリアンブル５００と、メディアアクセス制御（ＭＡＣ）ヘッダ４０２と、フレーム本体４０４と、フレーム検査シーケンス（ＦＣＳ）４０６とを備え得る。ＭＡＣヘッダ４０２は、フレーム制御フィールド４１０と、持続時間フィールド４０８と、宛先アドレス（ＤＡ：Destination Address）フィールドと、ソースアドレス（ＳＡ：Source Address）フィールドと、基本サービスセット識別子（ＢＳＳＩＤ：Basic Service Set Identifier）フィールドと、シーケンス制御フィールドとを含み得る。
【００３８】
図５に、本開示のいくつかの態様による、プリアンブル５００の例示的な構造を示す。プリアンブル５００は、オムニレガシー（omni-legacy）部分５０２（たとえば、非ビームフォーミング部分）とプリコーディングされたＩＥＥＥ８０２．１１ａｃ  ＶＨＴ（超高スループット）部分５０４とを備え得る。レガシー部分５０２は、レガシーショートトレーニングフィールド（Ｌ−ＳＴＦ：Legacy Short Training Field）５０６と、レガシーロングトレーニングフィールド（Legacy Long Training Field）５０８と、レガシー信号（Ｌ−ＳＩＧ：Legacy Signal）フィールド５１０と、２つのＶＨＴ信号Ａ（ＶＨＴ−ＳＩＧ−Ａ）フィールド５１２、５１４中の２つのＯＦＤＭシンボルとを含み得る。いくつかの態様では、レガシー部分５０２は、ＳＴＡの特定のセットがＭＵ−ＭＩＭＯ送信の空間ストリームを受信することになることをすべてのサポートされたＳＴＡに伝達するために、グループ識別子（ＩＤ）フィールド５１６をも含み得る。
【００３９】
プリコーディングされた８０２．１１ａｃ  ＶＨＴ部分５０４は、ＶＨＴショートトレーニングフィールド（ＶＨＴ−ＳＴＦ）５１８と、ＶＨＴロングトレーニングフィールド１（ＶＨＴ−ＬＴＦ１）５２０と、ＶＨＴロングトレーニングフィールド（ＶＨＴ−ＬＴＦ）５２２と、ＶＨＴ信号Ｂ（ＶＨＴ−ＳＩＧ−Ｂ）フィールド５２４と、データ部分５２６とを含み得る。ＶＨＴ−ＳＩＧ−Ｂフィールド５２４は、１つのＯＦＤＭシンボルを含み得、送信され、プリコーディング／ビームフォーミングされ得る。
【００４０】
応答フレームのための例示的なレート選択
本開示のいくつかの態様は、受信メッセージの特性に基づいて応答メッセージのためのコーディングレート、変調クラス、ならびに／または変調およびコーディング方式を選択するための技法を提示する。提案する方法は、レガシー局、ＩＥＥＥ８０２．１１ｎ規格の下で動作する局（たとえば、高スループット（ＨＴ）局）、およびＩＥＥＥ８０２．１１ａｃ規格の下で動作する局（たとえば、ＶＨＴ局）など、異なるタイプの局によって使用され得る。
【００４１】
現在のＩＥＥＥ８０２．１１ａｃ仕様には、局（ＳＴＡ）が制御応答フレームのための送信レートならびに／または変調およびコーディング方式（ＭＣＳ）をどのように選択すべきかが記載されていない。したがって、応答を引き出すフレーム（たとえば、制御フレームまたは他のタイプのフレーム）の受信に応答してＭＣＳとレートとを選択するための技法が必要とされる。選択されたＭＣＳは、受信されたフレームに対する応答を送信するために、ワイヤレスデバイスによって使用され得る。
【００４２】
制御応答フレームは、応答を引き出したフレームを含んでいる物理レイヤコンバージェンスプロトコル（ＰＬＣＰ：physical layer convergence protocol）プロトコルデータユニット（ＰＰＤＵ）の受信のショートフレーム間スペース（ＳＩＦＳ：short inter-frame space）時間後に、フレームの受信に対する応答として送信される制御フレーム、たとえば、送信要求（ＲＴＳ）受信に応答する送信可（ＣＴＳ）、データ受信に応答する肯定応答（ＡＣＫ）、またはＢｌｏｃｋＡｃｋ要求の受信に応答するＢｌｏｃｋＡｃｋである。いくつかの状況では、制御フレームの送信は、送信機会（ＴＸＯＰ）を開始するためにＣＴＳが使用されるときなど、制御応答送信でない。
【００４３】
概して、ワイヤレスネットワーク１００は、レガシー局、ＨＴ局、およびＶＨＴ局など、異なる種類の局を含み得る。これらの局の各々は、異なる変調およびコーディング方式をサポートすることが可能であり得る。各タイプの局によってサポートされる変調およびコーディング方式とそれらの対応するパラメータとのセットがネットワーク中で定義され得る。いくつかの態様では、ＭＣＳはまた、各局によってサポートされた空間ストリームの数を識別し得る。たとえば、第１のＭＣＳセット（たとえば、ＢＳＳＢａｓｉｃＭＣＳＳｅｔ）は、ＨＴ局によってサポートされたＭＣＳのセットであり得、第２のＭＣＳセット（たとえば、ＶＨＴＢＳＳＢａｓｉｃＭＣＳＳｅｔ）は、ＶＨＴ局によってサポートされたＭＣＳのセットであり得る。一例として、ＢＳＳＢａｓｉｃＭＣＳＳｅｔは、コーディングレート２／３、３／４および５／６の場合、６４ＱＡＭ（直交振幅変調：Quadrature Amplitude Modulation）を含み得る。ＶＨＴＢＳＳＢａｓｉｃＭＣＳＳｅｔは、コーディングレート３／４および５／６の場合、２５６ＱＡＭを含み得る。ネットワーク中の異なる局によってサポートされるＭＣＳのすべてのリストは、第３のセット（たとえば、ＣａｎｄｉｄａｔｅＭＣＳＳｅｔ）に記憶され得る。一例として、ＣａｎｄｉｄａｔｅＭＣＳＳｅｔは、ＢＳＳＢａｓｉｃＭＣＳＳｅｔとＶＨＴＢＳＳＢａｓｉｃＭＣＳＳｅｔとにおけるパラメータの組合せであり得る。ＢＳＳＢａｓｉｃＭＣＳＳｅｔおよびＶＨＴＢＳＳＢａｓｉｃＭＣＳＳｅｔが空である場合、ＣａｎｄｉｄａｔｅＭＣＳＳｅｔは、応答を引き出す局に対応する必須の物理レイヤ（ＰＨＹ）ＭＣＳのセットから構成され得る。たとえば、応答を引き出す局がＨＴ局である場合、ＣａｎｄｉｄａｔｅＭＣＳＳｅｔは、必須のＨＴ  ＰＨＹ  ＭＣＳのセットから構成され得る。応答を引き出す局（ＳＴＡ）がＶＨＴ  ＳＴＡである場合、ＣａｎｄｉｄａｔｅＭＣＳＳｅｔは、必須のＨＴ  ＰＨＹ  ＭＣＳ、およびＶＨＴ  ＰＨＹ  ＭＣＳなどのセットから構成され得る。
【００４４】
本開示のいくつかの態様は、フレームを受信した後の応答メッセージの送信のためにＭＣＳを選択するための技法を提供する。応答を引き出すフレームがマルチユーザ送信としておよび／またはＶＨＴフレームとして送られたのか否かに応じてＭＣＳを選択するための異なるルールが適用され得る。
【００４５】
図６に、本開示のいくつかの態様による、応答フレームのためのＭＣＳを選択するためにワイヤレスデバイスによって実行され得る例示的な動作を示す。６０２において、ワイヤレスデバイスは、制御フレームまたは応答を引き出す任意の他のタイプのフレームなど、応答を引き出すフレームを受信する。
【００４６】
６０４において、ワイヤレスデバイスは、フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、応答の送信のための変調クラスとＭＣＳとを選択する。６０６において、ワイヤレスデバイスは、選択された変調クラスと選択されたＭＣＳとを使用して応答を送信する。
【００４７】
いくつかの態様では、ワイヤレスデバイスは、サポートされたＭＣＳのセット（たとえば、ＣａｎｄｉｄａｔｅＭＣＳＳｅｔ）から、応答の送信のためのＭＣＳを選択し得る。応答を引き出すデータユニット（ＤＵ）がマルチユーザ送信として送られたのか否かに応じてＭＣＳを選択するための異なるルールが適用され得る。たとえば、ワイヤレスデバイスは、応答を引き出すフレームが非ＨＴ物理レイヤコンバージェンスプロトコル（ＰＬＣＰ）プロトコルデータユニット（ＰＰＤＵ）、ＨＴ−ＰＰＤＵ、またはＶＨＴ−ＰＰＤＵ内にある場合に異なるルールを使用し得る。非ＨＴ  ＰＰＤＵは、レガシー局を含む任意の局によって使用され得、ＨＴ−ＰＰＤＵはＨＴ局および／またはＶＨＴ局によって使用され得、ＶＨＴ−ＰＰＤＵはＶＨＴ局のみによって使用され得る。
【００４８】
いくつかの態様では、フレームがＶＨＴ変調クラスを使用して送信された場合のみ、応答がＶＨＴ変調クラスを使用して送信され得る。いくつかの態様では、応答メッセージのために使用されるＶＨＴ変調クラスは、フレームの送信のために使用されるＶＨＴ変調クラスと同様であるか、またはそれとは異なり得る。別の態様では、フレームがＶＨＴ変調クラスを使用して送信された場合、応答は、ＶＨＴ変調クラス、ＨＴ変調クラス、または非ＨＴ変調クラスを使用して送信され得る。
【００４９】
いくつかの態様では、ワイヤレスデバイスは、応答を引き出すＤＵがマルチユーザおよび／またはＶＨＴ送信として送られた場合、受信された制御フレームの空間ストリームの数と変調次数（modulation order）とを判断し得る。ワイヤレスデバイスは、次いで、受信された制御フレームの空間ストリームの数に等しいかまたはそれよりも小さい空間ストリームの数に対応するＭＣＳを選択し得る。選択されたＭＣＳはまた、受信された制御フレームの変調次数に等しいかまたはそれよりも小さい変調次数に対応し得る。
【００５０】
いくつかの態様では、ワイヤレスデバイスは、サポートされたＭＣＳのセットを識別し得、セットから、受信された制御フレームの空間ストリームの判断された数よりも大きい空間ストリームの数に対応する１つまたは複数のＭＣＳをなくすことによってサポートされたＭＣＳのセットを更新し得る。ワイヤレスデバイスはまた、セットから、受信された制御フレームの変調次数よりも高い変調次数に対応する１つまたは複数のＭＣＳをなくし得る。ワイヤレスデバイスは、次いで、サポートされたＭＣＳの更新されたセットから、サポートされたＭＣＳの更新されたセット中の残りのＭＣＳの空間ストリームの最大数と最高変調次数とに対応する１次ＭＣＳを選択し得る。いくつかの態様では、ワイヤレスデバイスは、１次ＭＣＳを使用して応答を送信し得る。いくつかの態様では、ワイヤレスデバイスは、受信された制御フレームのデータレートよりも低いデータレートに対応するＭＣＳを選択し得る。いくつかの態様では、サポートされたＭＣＳのセットは、ＢＳＳ中のすべての非ＨＴ局、ＨＴ局、またはＶＨＴ局によってサポートされた１つまたは複数のＭＣＳを含み得る。
【００５１】
前に説明したように、サポートされたＭＣＳのセットは、高スループット送信に対応する１つまたは複数のＭＣＳ、および／または超高スループット送信に対応する１つまたは複数のＭＣＳを含み得る。一例として、応答を引き出すフレームが非ＨＴ  ＰＰＤＵ内にある場合、ワイヤレスデバイスは、ＣａｎｄｉｄａｔｅＭＣＳＳｅｔから、すべてのＶＨＴ  ＭＣＳと、受信されたＰＰＤＵのデータレートよりも大きいデータレートを有するＭＣＳとをなくし得る。ワイヤレスデバイスは、次いでＣａｎｄｉｄａｔｅＭＣＳＳｅｔから最も高いインデックス付けされたＭＣＳを発見し得る。このＭＣＳのインデックスは、応答送信のための１次ＭＣＳであるＭＣＳのインデックスとして設定され得る。いくつかの態様では、ＣａｎｄｉｄａｔｅＭＣＳＳｅｔが空の場合、１次ＭＣＳは、必須のＭＣＳのうちの最も低いインデックス付けされたＭＣＳとして選定され得る。
【００５２】
代替として、応答を引き出すフレームがＨＴ  ＰＰＤＵ内にある場合、ワイヤレスデバイスは、ＣａｎｄｉｄａｔｅＭＣＳＳｅｔから、すべてのＶＨＴ  ＭＣＳと、受信されたフレームのＭＣＳのインデックスよりも高いインデックスを有するすべてのＭＣＳとをなくし得る。ワイヤレスデバイスは、次いで、受信されたフレームよりも大きい数の空間ストリームと高い変調次数とを有するすべてのＭＣＳをなくし得る。いくつかの態様では、ＣａｎｄｉｄａｔｅＭＣＳＳｅｔセットが空の場合、必須のＨＴ  ＭＣＳはＣａｎｄｉｄａｔｅＭＣＳＳｅｔ中に含まれ得、上記の手順は繰り返され得る。
【００５３】
いくつかの態様では、応答を引き出すフレームがＶＨＴ  ＰＰＤＵ内にある場合、ワイヤレスデバイスは、ＣａｎｄｉｄａｔｅＭＣＳＳｅｔから、受信されたフレームのＭＳＣのデータレートよりも高いデータレートを有するすべてのＭＣＳをなくし得る。ワイヤレスデバイスは、次いで、受信されたフレームよりも大きい数の空間ストリーム、または高い変調次数を有するすべてのＭＣＳをなくし得る。いくつかの態様では、ＣａｎｄｉｄａｔｅＭＣＳＳｅｔセットが空の場合、必須のＶＨＴ  ＭＣＳはＣａｎｄｉｄａｔｅＭＣＳＳｅｔ中に含まれ得、上記の手順は繰り返され得る。
【００５４】
図７に、本開示のいくつかの態様による、提案するコーディングレートおよびＭＣＳ選択方法を利用する例示的な通信システム７００を示す。通信システム７００は、基地局（たとえば、ｅノードＢ）７１０と、１つまたは複数のＵＥ７２０（図には１つのみが示されている）とを含む。基地局は、応答を引き出すメッセージ（たとえば、制御メッセージ）をＵＥに送信するための送信機モジュール７１２を含み得る。ＵＥ７２０は、受信機モジュール７２２を用いてメッセージを受信し得る。本明細書で説明するように、処理モジュール７２４は、少なくとも受信メッセージの特性に基づいて応答メッセージのための変調クラス、コーディングレートおよび／またはＭＣＳを選択し得る。送信機モジュール７２６は、選択されたＭＣＳを使用して応答メッセージを基地局７１０に送信し得る。基地局は、受信機モジュール７１６を介して応答メッセージを受信し、処理モジュール７１４において応答メッセージを分析し、応答メッセージ中で受信された情報に基づいてＵＥとの通信を続ける。
【００５５】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示す動作がある場合、それらの動作は、同様の番号をもつ対応するカウンターパートのミーンズプラスファンクション構成要素を有し得る。たとえば、図６に示す動作６００は、図６Ａに示す手段６００Ａに対応する。
【００５６】
たとえば、応答を送信するための手段は、図２に示すアクセスポイント１１０の送信機ユニット２２２、図２に示すユーザ端末１２０の送信機ユニット２５４、または図３に示すワイヤレスデバイス３０２の送信機３１０などの送信機を備え得る。受信するための手段は、図２に示すアクセスポイント１１０の受信機ユニット２２２、図２に示すユーザ端末１２０の受信機ユニット２５４、または図３に示すワイヤレスデバイス３０２の受信機３１２などの受信機を備え得る。ＭＣＳを選択するための手段、および／または空間ストリームの数を判断するための手段、および／またはサポートされたＭＣＳのセットを識別するための手段、および／またはサポートされたＭＣＳのセットを更新するための手段は処理システムを備え得、処理システムは、図２に示すユーザ端末１２０のＲＸデータプロセッサ２７０および／またはコントローラ２８０、あるいはアクセスポイント１１０のＲＸデータプロセッサ２４２および／またはコントローラ２３０など、１つまたは複数のプロセッサを含み得る。
【００５７】
さらに、機能（たとえば、選択、識別、判断など）を実行するように構成された回路は、汎用プロセッサおよび／または専用プロセッサなど、処理要素または論理回路の任意の組合せであり得る。
【００５８】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【００５９】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むものとする。
【００６０】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【００６１】
本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込み得るように、プロセッサに結合され得る。代替として、記憶媒体はプロセッサに一体化され得る。
【００６２】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００６３】
説明した機能は、ハードウェア、ソフトウェア、ファームウェア、またはそれらの任意の組合せで実装され得る。ハードウェアで実装した場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もまたバスに接続され得る。バスはまた、タイミングソース、周辺機器、電圧調整器、電力管理回路などの様々な他の回路をリンクし得るが、それらは当技術分野でよく知られており、したがってこれ以上は説明しない。
【００６４】
プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行し得る他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００６５】
ハードウェア実装形態では、機械可読媒体は、プロセッサとは別個の処理システムの一部であり得る。しかしながら、当業者なら容易に理解するように、機械可読媒体またはその任意の部分は処理システムの外部に存在し得る。例として、機械可読媒体は、すべてバスインターフェースを介してプロセッサがアクセスし得る、伝送線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであり得るように、プロセッサに統合され得る。
【００６６】
処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行し得る回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００６７】
機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００６８】
ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００６９】
したがって、いくつかの態様は、本明細書で提示する動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７０】
さらに、本明細書で説明した方法および技法を実行するためのモジュールおよび／または他の適切な手段は、適用可能なときにユーザ端末および／または基地局によってダウンロードおよび／または他の方法で取得し得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供され得る。さらに、本明細書で説明した方法および技法をデバイスに与えるための任意の他の好適な技法が利用され得る。
【００７１】
特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］  応答を引き出すフレームを受信するように構成された受信機と、
前記応答の送信のための変調クラスと変調およびコーディング方式（ＭＣＳ）とを選択するように構成された回路であって、前記回路は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するように構成された、回路と、
前記選択された変調クラスと前記選択されたＭＣＳとを使用して前記応答を送信するように構成された送信機とを備える、ワイヤレス通信のための装置。
［Ｃ２］  前記ルールは、前記フレームがＶＨＴ変調クラスを使用して送信された場合のみ、前記応答がＶＨＴ変調クラスを使用して送信されることを可能にする、Ｃ１に記載の装置。
［Ｃ３］  前記ルールは、前記フレームがＶＨＴ変調クラスを使用して送信された場合、前記応答がＨＴ変調クラスまたは非ＨＴ変調クラスを使用して送信されることを可能にする、Ｃ１に記載の装置。
［Ｃ４］  前記回路は、
前記フレームがＶＨＴ送信として送信された場合、前記受信されたフレームの空間ストリームの数と変調次数とを判断することであって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断することを行うように構成された、Ｃ１に記載の装置。
［Ｃ５］  前記回路は、
サポートされたＭＣＳのセットを識別することと、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新することと、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択することとを行うようにさらに構成され、
前記送信機が、前記１次ＭＣＳを使用して前記応答を送信するようにさらに構成された、Ｃ４に記載の装置。
［Ｃ６］  サポートされたＭＣＳの前記セットが、非ＨＴ局、ＨＴ局、またはＶＨＴ局によってサポートされた１つまたは複数のＭＣＳを備える、Ｃ５に記載の装置。
［Ｃ７］  前記ＭＣＳを選択するように構成された前記回路が、前記受信されたフレームのデータレートに等しいかまたはそれよりも低いデータレートに対応する前記ＭＣＳを選択するようにさらに構成された、Ｃ１に記載の装置。
［Ｃ８］  応答を引き出すフレームを受信することと、
前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、前記応答の送信のための前記変調クラスと前記ＭＣＳとを選択することと、
前記選択された変調クラスと前記選択されたＭＣＳとを使用して前記応答を送信することとを備える、ワイヤレス通信のための方法。
［Ｃ９］  前記ルールは、前記フレームがＶＨＴ変調クラスを使用して送信された場合のみ、前記応答がＶＨＴ変調クラスを使用して送信されることを可能にする、Ｃ８に記載の方法。
［Ｃ１０］  前記ルールは、前記フレームがＶＨＴ変調クラスを使用して送信された場合、前記応答がＨＴ変調クラスまたは非ＨＴ変調クラスを使用して送信されることを可能にする、Ｃ８に記載の方法。
［Ｃ１１］  前記フレームがＶＨＴ送信として送信された場合、前記受信されたフレームの空間ストリームの数と変調次数とを判断することであって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断することをさらに備える、Ｃ８に記載の方法。
［Ｃ１２］  サポートされたＭＣＳのセットを識別することと、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新することと、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択することと、
前記１次ＭＣＳを使用して前記応答を送信することとをさらに備える、Ｃ１１に記載の方法。
［Ｃ１３］  サポートされたＭＣＳの前記セットが、非ＨＴ局、ＨＴ局、またはＶＨＴ局によってサポートされた１つまたは複数のＭＣＳを備える、Ｃ１２に記載の方法。
［Ｃ１４］  前記ＭＣＳを選択することが、
前記受信されたフレームのデータレートに等しいかまたはそれよりも低いデータレートに対応する前記ＭＣＳを選択することを備える、Ｃ８に記載の方法。
［Ｃ１５］  応答を引き出すフレームを受信するための手段と、
前記応答の送信のための変調クラスと変調およびコーディング方式（ＭＣＳ）とを選択するための手段であって、選択するための前記手段は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するための手段を備える、選択するための手段と、
前記選択された変調クラスと前記選択されたＭＣＳとを使用して前記応答を送信するための手段とを備える、ワイヤレス通信のための装置。
［Ｃ１６］  前記ルールは、前記フレームがＶＨＴ変調クラスを使用して送信された場合のみ、前記応答がＶＨＴ変調クラスを使用して送信されることを可能にする、Ｃ１５に記載の装置。
［Ｃ１７］  前記ルールは、前記フレームがＶＨＴ変調クラスを使用して送信された場合、前記応答がＨＴ変調クラスまたは非ＨＴ変調クラスを使用して送信されることを可能にする、Ｃ１５に記載の装置。
［Ｃ１８］  前記フレームがＶＨＴ送信として送信された場合、前記受信されたフレームの空間ストリームの数と変調次数とを判断するための手段であって、前記選択されたＭＣＳが、前記受信されたフレームの空間ストリームの前記判断された数に等しいかまたはそれよりも小さい空間ストリームの数に対応し、前記選択された変調次数が、前記受信されたフレームの前記判断された変調次数に等しいかまたはそれよりも小さい、判断するための手段をさらに備える、Ｃ１５に記載の装置。
［Ｃ１９］  サポートされたＭＣＳのセットを識別するための手段と、
前記セットから、前記受信されたフレームの空間ストリームの前記判断された数よりも大きい空間ストリームの数に対応する１つまたは複数のＭＣＳをなくすことと、前記セットから、前記受信されたフレームの前記判断された変調次数よりも高い変調次数に対応する１つまたは複数のＭＣＳをなくすこととによって、サポートされたＭＣＳの前記セットを更新するための手段と、
サポートされたＭＣＳの前記更新されたセットから、サポートされたＭＣＳの前記更新されたセット中の残りのＭＣＳの空間ストリームの最大数と最高変調次数とに対応する１次ＭＣＳを選択するための手段とをさらに備え、前記送信するための手段が、前記１次ＭＣＳを使用して前記応答をさらに送信する、Ｃ１８に記載の装置。
［Ｃ２０］  サポートされたＭＣＳの前記セットが、非ＨＴ局、ＨＴ局、またはＶＨＴ局によってサポートされた１つまたは複数のＭＣＳを備える、Ｃ１９に記載の装置。
［Ｃ２１］  前記ＭＣＳを選択するための前記手段が、
前記受信されたフレームのデータレートに等しいかまたはそれよりも低いデータレートに対応する前記ＭＣＳを選択するための手段を備える、Ｃ１５に記載の装置。
［Ｃ２２］  応答を引き出すフレームを受信することと、
前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて変調クラスと変調およびコーディング方式（ＭＣＳ）とを選択するための異なるルールを適用することによって、前記応答の送信のための前記変調クラスと前記ＭＣＳとを選択することと、
前記選択された変調クラスと前記選択されたＭＣＳとを使用して前記応答を送信することとを行うために実行可能な命令を備える非一時的コンピュータ可読媒体を備える、ワイヤレス通信のためのコンピュータプログラム製品。
［Ｃ２３］  少なくとも１つのアンテナと、
前記少なくとも１つのアンテナを介して、応答を引き出すフレームを受信するように構成された受信機と、
前記応答の送信のための変調クラスと変調およびコーディング方式（ＭＣＳ）とを選択するように構成された回路であって、前記回路は、前記フレームが高スループット（ＨＴ）変調クラスを用いて送信されたのか、超高スループット（ＶＨＴ）変調クラスを用いて送信されたのか、非ＨＴ変調クラスを用いて送信されたのかに応じて前記変調クラスと前記ＭＣＳとを選択するための異なるルールを適用するように構成された、回路と、
前記選択された変調クラスと前記選択されたＭＣＳとを使用して前記応答を送信するように構成された送信機とを備える、ワイヤレス通信のための局。
【図１】
0006382164.tif 000002
【図２】
0006382164.tif 000003
【図３】
0006382164.tif 000004
【図４】
0006382164.tif 000005
【図５】
0006382164.tif 000006
【図６】
0006382164.tif 000007
【図６Ａ】
0006382164.tif 000008
【図７】
0006382164.tif 000009